(57)【特許請求の範囲】
【請求項１】
浴室内空気を循環する循環用送風機３６と、この循環用送風機３６の吐出側に設けたヒータ３９と、浴室内空気と他の室内空気を吸気して屋外に排出する換気用送風機４１を備えた二室対応型浴室換気乾燥機において、
本体３２内に循環用送風機３６のケーシングと換気用送風機４１のケーシングを設けて本体３２内に他の室用吸気口４７と連通した内部室４６ａを形成し、この内部室４６ａを伸縮自在なる伸縮ダクト４６ｃで換気用送風機４１の換気用吸気口４２の一部に開口連通し、その換気用吸気口４２の残りを浴室内に開口連通して前記換気用送風機４１による浴室内空気吸気風量と他の室内吸気風量の比率を増減調節する吸気風量分配調節装置としたことを特徴とする二室対応型浴室換気乾燥機。
【請求項２】
箱体３０の下部にグリル３１を着脱自在に設けて本体３２とし、この箱体３０内に前記各ケーシングを設けて他の室用吸気口４７と連通した内部室４６ａを形成し、
前記箱体３０の下面に換気用吸気口４２を形成するとともに固定ダクト５０を前記内部室４６ａと連通して取付け、この固定ダクト５０に可動ダクト５１を換気用吸気口４２に向けて移動自在に取付けて伸縮ダクト４６ｃとした請求項１記載の二室対応型浴室換気乾燥機。
【発明の詳細な説明】
【０００１】
【発明の属する技術分野】
本発明は、浴室を換気・暖房等すると共にトイレ等の他の室を換気する二室対応型浴室換気乾燥機に関する。
【０００２】
【従来の技術】
浴室を換気・暖房等する浴室換気乾燥機にトイレ等の他の室を換気する機能を付与した二室対応型浴室換気乾燥機としては、例えば図１に示すものが提案されている。
【０００３】
この二室対応型浴室換気乾燥機は、箱状の本体１内を仕切壁２で第１室３と第２室４に区画し、第１室３内にケーシング５内にシロッコファン６を回転自在に設けた循環用送風機７を設け、その吸込口８（ベルマウス）を第１室３を経て循環用吸気口９に連通し、吐出口１０をヒータ１１を経て循環用吐出口１２に連通してある。
【０００４】
前記第２室４にはケーシング１３内にシロッコファン１４を回転自在に設けた換気用送風機１５を設け、その吸入口１６（ベルマウス）を第２室４に開口し、吐出口１７を換気用ダクト１８で屋外に連通してある。
【０００５】
前記第２室４は浴室換気用吸気口１９と他の室換気用吸気口２０に連通している。前記循環用吸気口９、循環用吐出口１２、浴室換気用吸気口１９は浴室２１内にそれぞれ開口し、他の室換気用吸気口２０はダクト２２で他の室、例えばトイレ２３に開口している。なお、前記各シロッコファン６，１４は電動モータ２４で回転駆動される。
【０００６】
前述の二室対応型浴室換気乾燥機によれば、循環用送風機７で浴室２１内の空気を循環できるし、換気用送風機１５で浴室２１内とトイレ２３内の空気を屋外に排出できるから、浴室内を換気、暖房、乾燥できるし、トイレ２３内を換気できる。
【０００７】
【発明が解決しようとする課題】
かかる二室対応型浴室換気乾燥機は浴室２１内空気の吸気風量とトイレ２３内の吸気風量が一義的に決定される。一方、浴室２１、トイレ２３の要求される吸気風量は浴室２１、トイレ２３の大きさやダクト抵抗の影響等で異なるので、浴室２１内の大きさ、トイレ２３の大きさが異なる場合やダクト抵抗が異なる場合には浴室２１、トイレ２３の吸気風量が要求される吸気風量にならないことがあり、一方の室の吸気風量が少なくなって一方が換気不足となることがある。
【０００８】
このために、換気用送風機１５の能力を、浴室２１、トイレ２３の要求される吸気風量の合計に見合う値よりも大容量として換気不足とならないようにしているから、コストが高いものとなる。
【０００９】
そこで、本発明は前述の課題を解決できるようにした二室対応型浴室換気乾燥機を提供することを目的とする。
【００１０】
【課題を解決するための手段】
第１の発明は浴室内空気を循環する循環用送風機３６と、この循環用送風機３６の吐出側に設けたヒータ３９と、浴室内空気と他の室内空気を吸気して屋外に排出する換気用送風機４１を備えた二室対応型浴室換気乾燥機において、
本体３２内に循環用送風機３６のケーシングと換気用送風機４１のケーシングを設けて本体３２内に他の室用吸気口４７と連通した内部室４６ａを形成し、この内部室４６ａを伸縮自在なる伸縮ダクト４６ｃで換気用送風機４１の換気用吸気口４２の一部に開口連通し、その換気用吸気口４２の残りを浴室内に開口連通して前記換気用送風機４１による浴室内空気吸気風量と他の室内吸気風量の比率を増減調節する吸気風量分配調節装置としたことを特徴とする二室対応型浴室換気乾燥機である。
【００１２】
第２の発明は、第１の発明において箱体３０の下部にグリル３１を着脱自在に設けて本体３２とし、この箱体３０内に前記各ケーシングを設けて他の室用吸気口４７と連通した内部室４６ａを形成し、
前記箱体３０の下面に換気用吸気口４２を形成するとともに固定ダクト５０を前記内部室４６ａと連通して取付け、この固定ダクト５０に可動ダクト５１を換気用吸気口４２に向けて移動自在に取付けて伸縮ダクト４６ｃとした二室対応型浴室換気乾燥機である。
【００１３】
【作    用】
第１の発明によれば、浴室内の空気を循環したり、加熱して循環したりできるし、浴室内と他の室内を換気できる。
【００１４】
しかも、吸気風量分配調節装置によって換気用送風機４１による浴室内空気吸気風量と他の室内空気吸気風量の比率を増減調節できるので、浴室の大きさ、他の室の大きさ、ダクト抵抗等に応じた要求される風量を換気できる。
【００１５】
これによって、換気用送風機４１を小容量として浴室、他の室を十分に換気できる。
【００１６】
また、伸縮ダクト４６ｃを伸び、縮みすることで浴室から吸気風量と他の室からの吸気風量を調節できる。
【００１７】
第２の発明によれば、グリル３１を外した状態で可動ダクト５１を移動することで浴室からの吸気風量と他の室からの吸気風量を調整できるし、風量調整後には伸縮ダクト４６ｃをグリグ３１で覆って見えないようにできる。
【００１８】
これによって、吸気風量の調整が容易であるし、通常時の見栄えを良くできる。
【００１９】
【発明の実施の形態】
図２と図３に示すように箱体３０とグリル３１で箱状の本体３２としてある。前記箱体３０は上板３０ａと相対向した一対の第１の縦板３０ｂと相対向した一対の第２縦板３０ｃと中間横板３０ｄを備えている。前記上板３０ａと中間横板３０ｄとに亘って第１ケーシング３３と第２ケーシング３４が取付けてある。
【００２０】
前記第１ケーシング３３内に第１羽根（シロッコファン）３５が回転自在に設けられて循環用送風機３６を構成し、この循環用送風機３６の吸気側は循環用吸気口（ベルマウス）３７に開口し、吐出側は循環用吐出口３８に開口している。前記循環用吐出口３８にはヒータ３９が設けてある。
【００２１】
前記第２ケーシング３４内には第２羽根（シロッコファン）４０が回転自在に設けられて換気用送風機４１を構成している。換気用送風機４１の吸気側は換気用吸気口４２に開口し、吐出側は換気用吐出口４３に開口し、その換気用吐出口４３は排気ダクト４４で屋外に開口している。
【００２２】
前記循環用吸気口３７、循環用吐出口３８と換気用吸気口４２の一部はグリル３１の通気部４５より浴室内に開口連通し、換気用吸気口４２の一部は風路４６で他の室用吸気口４７に連通している。この他の室用吸気口４７は換気用ダクト４８で他の室、例えばトイレに開口連通してある。
【００２３】
前記風路４６は箱体３０の内部室４６ａと中間横板３０ｄに形成した開口部４６ｂと伸縮ダクト４６ｃより構成してある。前記伸縮ダクト４６ｃは中間横板３０ｄと一方の第２縦板３０ｂに固設した断面上向コ字状の固定ダクト５０と、この固定ダクト３０に沿って移動自在に設けた断面上向コ字状の可動ダクト５１より成る。
【００２４】
前記可動ダクト５１は図４に示すようにフランジ５２を有し、そのフランジ５２に形成した長穴５３より固着具５４を中間横板３０ｄに螺合して取付けてある。可動ダクト５１の他端部は換気用吸気口４２と対向し、かつ上向片５５が設けられて吸気風量分配調節装置を構成している。
【００２５】
このようであるから、可動ダクト５１を伸び作動すれば立上り板５５と換気用吸気口４２のオーバーラップ量が増大して風路４６と換気用吸気口４２の開口面積が増大し、換気用吸気口４２と浴室内との開口面積が減少するので、換気用送風機４１で吸気される風量はトイレが大風量、浴室内が小風量となる。
【００２６】
また、可動ダクト５１を縮み作動すれば立上り板５５と換気用吸気口４２のオーバーラップ量が減少して風路４６と換気用吸気口４２の開口面積が減少し、換気用吸気口４２と浴室内との開口面積が増大するので、換気用送風機４１で吸気される風量はトイレが小風量、浴室内が大風量となる。
【００２７】
前述の可動ダクト５１の位置調整（風量調整）はグリル３１を外した状態で行なう。なお、固定ダクト５０には目盛り５６が形成されて可動ダクト５１の位置、つまり風路４６と換気用吸気口４２の開口面積を目視確認できるようにしてある。
【００２８】
このようであるから、二室対応型浴室換気乾燥機を取付ける際に、例えばトイレが大きい場合には可動ダクト５１を伸び作動してトイレ内の吸気風量を大風量とし、トイレが小さい場合には可動ダクト５１を縮み作動してトイレ内の吸気風量を小容量とする。
【００２９】
【発明の効果】
第１の発明によれば、浴室内の空気を循環したり、加熱して循環したりできるし、浴室内と他の室内を換気できる。
【００３０】
しかも、吸気風量分配調節装置によって換気用送風機４１による浴室内空気吸気風量と他の室内空気吸気風量の比率を増減調節できるので、浴室の大きさ、他の室の大きさ、ダクト抵抗等に応じた要求される風量を換気できる。
【００３１】
これによって、換気用送風機４１を小容量として浴室、他の室を十分に換気できる。
【００３２】
また、伸縮ダクト４６ｃを伸び、縮みすることで浴室からの吸気風量と他の室からの吸気風量を調節できる。
【００３３】
第２の発明によれば、グリル３１を外した状態で可動ダクト５１を移動することで浴室からの吸気風量と他の室からの吸気風量を調整できるし、風量調整後には伸縮ダクト４６ｃをグリグ３１で覆って見えないようにできる。
【００３４】
これによって、吸気風量の調整が容易であるし、通常時の見栄えを良くできる。
【図面の簡単な説明】
【図１】二室対応型浴室換気乾燥機の一例を示す断面図である。
【図２】本発明の実施の形態を示す二室対応型浴室換気乾燥機の横断面図である。
【図３】図２のＡ−Ａ断面図である。
【図４】グリルを外した状態の斜視図である。
【符号の説明】
３０…箱体、３１…グリル、３２…本体、３６…循環用送風機、４１…換気用送風機、４２…換気用吸気口、４７…他の室用吸気口、４６…風路、４６ａ…内部室、４６ｃ…伸縮ダクト、５０…固定ダクト、５１…可動ダクト。
【図１】
0003774875.tif 000002
【図２】
0003774875.tif 000003
【図３】
0003774875.tif 000004
【図４】
0003774875.tif 000005